(57)【特許請求の範囲】
【請求項１】
オーディオ情報通信方法において、
高画質のマルチメディアインターフェース(High-Definition  Multimedia  Interface:HDMI)フレーム内のオーディオパケットの位置情報を獲得するステップと、
前記HDMIフレームの垂直ブランキング領域と水平ブランキング領域を除去するステップと、
前記位置情報を含むデジタルオーディオパケットを、無線通信媒体を通じてデータソースデバイスからデータシンクデバイスまで送信するステップと、
を含むことを特徴とするオーディオ情報通信方法。
【請求項２】
前記オーディオパケットの位置情報を獲得するステップは、
ＨＤＭＩフレームの垂直及び水平のブランキング領域内で、オーディオパケットを含む現在のデータアイランドの水平及び垂直位置を決定するステップ
を含むことを特徴とする請求項１に記載のオーディオ情報通信方法。
【請求項３】
前記送信するステップは、
前記データソースデバイスから前記データシンクデバイスまで無線で送信される前記オーディオパケットの正確な位置情報を、それぞれのオーディオパケットに積載するステップ
をさらに含むことを特徴とする請求項２に記載のオーディオ情報通信方法。
【請求項４】
前記送信するステップは、
前記データソースデバイスから前記データシンクデバイスまで無線で送信される複数のオーディオパケットについての位置推定情報を、各オーディオパケット内に積載するステップ
をさらに含むことを特徴とする請求項２に記載のオーディオ情報通信方法。
【請求項５】
前記送信するステップは、
垂直及び水平の位置情報を各オーディオパケットに挿入し、パケット化プロセスを利用して複数のオーディオパケットを共に併合するステップと、
前記データソースデバイスから前記データシンクデバイスまで無線通信媒体を通じて、前記併合されたオーディオパケットを伝送するステップと、
をさらに含むことを特徴とする請求項４に記載のオーディオ情報通信方法。
【請求項６】
オーディオパケット分布パターンを推定するステップと、
前記推定されたオーディオパケット分布パターンを前記併合されたオーディオパケット内に積載するステップと、
をさらに含むことを特徴とする請求項５に記載のオーディオ情報通信方法。
【請求項７】
前記推定されたオーディオパケット分布パターンは、前記ＨＤＭＩフレーム内の二つの隣接するオーディオパケットについてのライン距離を含む
ことを特徴とする請求項６に記載のオーディオ情報通信方法。
【請求項８】
前記データシンクデバイスにおいて、受信されたオーディオパケットを前記ＨＤＭＩフレームの水平及び垂直のブランキング区間に挿入することで、ＨＤＭＩフレームを再構成するステップ
をさらに含むことを特徴とする請求項２に記載のオーディオ情報通信方法。
【請求項９】
前記ＨＤＭＩフレームを再構成するステップは、
前記水平及び垂直位置によって、チャネル０でのオーディオパケットヘッダ、水平及び垂直のブランキング、並びにチャネル１，２でのオーディオデータによって、３移行最小回差等シグナリング(Transition  Minimized  Differential  Signaling:TMDS)チャネルでＨＤＭＩ信号を生成するステップを
さらに含むことを特徴とする請求項８に記載のオーディオ情報通信方法。
【請求項１０】
オーディオ情報無線通信システムにおいて、
データソースデバイスを備え、
前記データソースデバイスは、
高画質のマルチメディアインターフェース（ＨＤＭＩ）フレーム内のオーディオパケットの位置情報を獲得し、前記HDMIフレームの垂直ブランキング領域と水平ブランキング領域を除去するために構成されたパーザモジュールと、
無線通信媒体を通じて、前記位置情報を含むデジタルオーディオパケットをデータシンクデバイスに送信するために構成されたコントロールモジュールと、
を含むことを特徴とするオーディオ情報無線通信システム。
【請求項１１】
前記パーザモジュールは、
前記ＨＤＭＩフレーム内の垂直及び水平のブランキング領域内で、オーディオが含まれている現在のデータアイランドについての水平及び垂直位置を決定することで、オーディオパケットの位置情報を獲得するようにさらに構成される
ことを特徴とする請求項１０に記載のオーディオ情報無線通信システム。
【請求項１２】
前記コントロールモジュールは、
前記データソースデバイスから前記データシンクデバイスまで無線で伝送される前記オーディオパケットの正確な位置情報を、各オーディオパケットに含めるようにさらに構成される
ことを特徴とする請求項１１に記載のオーディオ情報無線通信システム。
【請求項１３】
前記コントロールモジュールは、
前記データソースデバイスから前記データシンクデバイスまで無線で伝送される複数のオーディオパケットの位置推定情報を、各オーディオパケット内に含めるようにさらに構成される
ことを特徴とする請求項１１に記載のオーディオ情報無線通信システム。
【請求項１４】
前記コントロールモジュールは、
各オーディオパケットに水平及び垂直位置情報を挿入し、パケット化プロセスを利用して複数のオーディオパケットを共に併合し、
前記併合されたオーディオパケットを、前記無線通信媒体を通じて前記データソースデバイスから前記データシンクデバイスまで送信するようにさらに構成される
ことを特徴とする請求項１３に記載のオーディオ情報無線通信システム。
【請求項１５】
前記コントロールモジュールは、
オーディオパケット分布パターンを推定し、
前記推定されたオーディオパケット分布パターンを前記併合されたオーディオパケットに含めるようにさらに構成される
ことを特徴とする請求項１４に記載のオーディオ情報無線通信システム。
【請求項１６】
前記推定されたオーディオパケット分布パターンは、
前記ＨＤＭＩフレーム内の二つの隣接したオーディオパケットのライン距離を含む
ことを特徴とする請求項１５に記載のオーディオ情報無線通信システム。
【請求項１７】
受信されたオーディオパケットを前記ＨＤＭＩフレームの水平及び垂直のブランキング区間に挿入することで、ＨＤＭＩフレームを再構成するための再構成モジュールを含むデータシンクデバイスをさらに備える
ことを特徴とする請求項１０に記載のオーディオ情報無線通信システム。
【請求項１８】
前記データシンクデバイスは、
前記水平及び垂直位置によって、チャネル０でのオーディオパケットヘッダ、水平及び垂直のブランキング、並びにチャネル１，２でのオーディオデータによって、３ＴＭＤＳチャネルにＨＤＭＩ信号を生成することで、ＨＤＭＩフレームを再構成するようにさらに構成される
ことを特徴とする請求項１７に記載のオーディオ情報無線通信システム。
【請求項１９】
オーディオ情報の無線通信のための無線オーディオソース装置において、
高画質のマルチメディアインターフェース（ＨＤＭＩ）フレーム内のオーディオパケットの位置情報を獲得し、前記HDMIフレームの垂直ブランキング領域と水平ブランキング領域を除去するために構成されたパーザモジュールと、
前記位置情報を含むデジタルオーディオパケットを、無線通信媒体を通じてデータシンク装置に送信するために構成されたコントロールモジュールと、を含む
ことを特徴とする無線オーディオソース装置。
【請求項２０】
前記パーザモジュールは、
前記ＨＤＭＩフレーム内の水平及び垂直のブランキング領域内で、オーディオパケットを含む現在のデータアイランドについての水平及び垂直位置を決定することで、オーディオパケットの位置情報を獲得する構成をさらに含む
ことを特徴とする請求項１９に記載の無線オーディオソース装置。
【請求項２１】
前記コントロールモジュールは、
オーディオパケットの前記無線オーディオソース装置から前記データシンク装置まで無線で伝送される前記オーディオパケットの正確な位置情報を、各オーディオパケットに含める構成をさらに含む
ことを特徴とする請求項２０に記載の無線オーディオソース装置。
【請求項２２】
前記コントロールモジュールは、
前記無線オーディオソース装置から前記データシンク装置まで無線で伝送される複数のオーディオパケットの位置推定情報を、各オーディオパケットに含める構成をさらに含む
ことを特徴とする請求項２０に記載の無線オーディオソース装置。
【請求項２３】
前記コントロールモジュールは、
各オーディオパケットに水平及び垂直位置情報を挿入し、パケット化プロセスを利用して複数のオーディオパケットを共に併合する構成と、
前記併合されたオーディオパケットを、前記無線通信媒体を通じて前記無線オーディオソース装置から前記データシンク装置に送信するための構成とをさらに含む
ことを特徴とする請求項２２に記載の無線オーディオソース装置。
【請求項２４】
前記コントロールモジュールは、
オーディオパケット分布パターンを推定し、
前記推定されたオーディオパケット分布パターンを、前記併合されたオーディオパケットに含めるための構成をさらに含む
ことを特徴とする請求項２３に記載の無線オーディオソース装置。
【請求項２５】
前記推定されたオーディオパケット分布パターンは、
前記ＨＤＭＩフレーム内の二つの隣接したオーディオパケットのライン距離を含む
ことを特徴とする請求項２４に記載の無線オーディオソース装置。
【発明の詳細な説明】
【技術分野】
【０００１】
本発明は、一般的な無線通信に係り、特に無線ネットワークのオーディオ伝送に関する。
【背景技術】
【０００２】
高画質のマルチメディアインターフェース(High  Definition  Multimedia  Interface:  HDMI)は、圧縮されていないデジタルデータを統合伝送するための簡便なオーディオ／ビデオインターフェースである。ＨＤＭＩフレームでは、垂直または水平のブランキング区間内にオーディオ情報が伝送され、ブランキング領域内でのオーディオ情報セグメントが、オーディオとビデオとの間の同期化(Lip-sync)によって決定される。しかし、一般的に無線システムでは、送信器と受信器との通信ストリーム(Communication  Stream)のデータレートを減らすために、垂直または水平のブランキング領域は伝送されない。
【発明の概要】
【発明が解決しようとする課題】
【０００３】
本発明の実施形態は、ＨＤＭＩフォーマットでデジタルビデオとデジタルオーディオとを伝送する無線通信システムにおけるオーディオ伝送のための方法及びシステムを提供する。
【課題を解決するための手段】
【０００４】
本発明の一実施形態は、ＨＤＭＩフレーム内のオーディオパケットの位置情報を獲得することで、オーディオ情報を送受信するための手順を含む。前記手順は、前記位置情報が含まれたデジタルオーディオ情報を、無線通信媒体を通じてデータソースデバイスからデータシンクデバイスまで伝送するステップをさらに含む。無線伝送のために、伝送の間にオーディオ及びビデオのパケットを共に併合することで、オーディオとビデオとの同期化が維持される。
【０００５】
前記手順は、データシンクデバイスで、受信されたオーディオパケットをＨＤＭＩフレームの水平及び垂直のブランキング区間に挿入することで、ＨＤＭＩフレームを再構成するステップをさらに含んでもよい。
【発明の効果】
【０００６】
本発明は、オーディオ／ビデオ同期化の実行を達成する間に、ブランキング情報の伝送を防止することで、データレートの減少を提供する。
【図面の簡単な説明】
【０００７】
【図１】本発明の一実施形態によって、デジタルビデオ及びデジタルオーディオをＨＤＭＩフォーマットで伝送する無線通信システムのオーディオ伝送のための電子送信無線ステーションデバイスについてのシステム図である。
【図２】本発明の一実施形態によって、ＨＤＭＩフォーマットでデジタルビデオ及びデジタルオーディオを受信する無線通信システムのオーディオ通信のための無線通信システムの電子受信無線ステーションデバイスについてのシステム図である。
【図３】７２０ｐデジタルビデオでのＨＤＭＩフレーム構造の例を示す図である。
【図４】本発明の一実施形態によって、図１の送信器でのＨＤＭＩフレームの変換及びパケット化のための例示手順を示す図である。
【図５】本発明の一実施形態によって、図２の受信器でのデパケット化及びＨＤＭＩフレームの再構成のための逆順例示手順を示す図である。
【図６】本発明の一実施形態によって、併合されたオーディオパケットフォーマットを示す図である。
【図７】本発明の他の実施形態によって、併合されたオーディオパケットフォーマットを示す図である。
【図８】本発明のさらに他の実施形態によって、併合されたオーディオパケットフォーマットを示す図である。
【発明を実施するための形態】
【０００８】
本発明の前記または他の特徴、観点及び長所は、詳細な説明、特許請求の範囲及び図面により説明される。
【０００９】
本発明の実施形態は、ＨＤＭＩ(High  Definition  Multimedia  Interface)フォーマットで、デジタルビデオ及びデジタルオーディオを伝送する無線通信システムのオーディオ伝送のための方法及びシステムを提供する。デジタルビデオ及びオーディオは、無線通信媒体（すなわち、ＲＦ(radio  frequency)）を通じて、無線伝送器のデータソースから無線受信器のデータシンクへ伝送される。
【００１０】
本発明の一実施形態として、ビデオ情報の時間同期化を維持するために（例えば、オーディオとビデオとの間の同期化維持(Lip-sync)）、ＨＤＭＩフレームに相応するブランキング区間の間に、デジタルオーディオ情報が、無線送信器（すなわち、無線送信ステーション）のデータソースから、無線受信器（すなわち、無線受信ステーション）のデータシンクへ伝送するための通信プロセスを行う無線通信システムを含む。本発明の一実施形態によれば、無線伝送のために、伝送の間にオーディオ及びビデオパケットを共に併合することで、オーディオとビデオとの同期化が維持される。
【００１１】
前記通信プロセスの一実施形態として、デジタルオーディオ及びビデオ情報間のジッタを最小化するために、無線チャネル（すなわち、ＲＦチャネル）を通じたＨＤＭＩオーディオの伝送を含む。送信器側のＨＤＭＩフレーム内の各オーディオパケットの位置情報は、オーディオパケット内に含まれており、前記受信器側で互いに同期化されたオーディオ及びビデオ情報を含むＨＤＭＩフレームを再構成する。かかる方式により、ＨＤＭＩオーディオは、ＨＤＭＩフレーム内のオーディオパケットの位置情報をもたらすことで、ビデオと同期化を達成する。
【００１２】
後述する本発明によれば、ＨＤＭＩフレーム内のオーディオパケットの位置情報を生成するためには、二つの例示方法がある。第１の方法（方法１）は、ＨＤＭＩフレーム内の各オーディオパケットの正確な位置を獲得するステップを含み、その位置情報は、無線で送信器から受信器へ伝送される。第２の方法（方法２）は、併合されたオーディオパケット内のあらゆるオーディオパケットの位置推定情報を獲得するステップを含み、前記併合されたパケットは、無線で送信器から受信器へ伝送される。
【００１３】
各方法において、受信器は、オーディオパケットを水平または垂直の（Ｈ，Ｖ）ブランキング区間に挿入することで、ＨＤＭＩフレームを再構成する。かかる方法は、さらに詳細に後述する。
【００１４】
本発明による一実施形態によれば、方法１のＨＤＭＩフレーム内のオーディオパケットの位置情報を生成するステップは、水平及び垂直位置情報をそれぞれのオーディオパケットに挿入するステップと、送信器側でパケット化手順を利用して、複数のオーディオパケットを共にＨＤＭＩフレーム内に併合するステップと、を含む。デジタルデータは、その後、無線で送信器から受信器へ伝送される。受信されたデータから、受信器は、各オーディオパケットを垂直及び水平のブランキング領域内の表示されたところに位置させることで、送信器でのＨＤＭＩフレームと同じであるか、または非常に類似したＨＤＭＩフレームを再構成する。
【００１５】
方法２の一実施形態によれば、オーディオパケットの分布パターンを推定するステップ、複数のオーディオパケットを共に併合するステップ、及び送信器でパケット化が実行される時に、オーディオパケット分布パターン情報を前記併合されたオーディオパケットに挿入するステップを含む。前記デジタルデータは、その後、無線で送信器から受信器へ伝送される。
【００１６】
受信されたデータから、受信器は、オーディオパケット分布パターンから計算した予想される垂直ラインに各オーディオパケットを位置させることで、受信器でのＨＤＭＩフレームと同じであるか、または類似したＨＤＭＩフレームを再構成する。オーディオとビデオとのジッタは、オーディオパケット分布パターンを推定することで、サービスの品質(Quality  of  Service:QoS)の要求を満足させるように制限される。
【００１７】
本発明の一実施形態によって、図１は、ＨＤＭＩオーディオの無線通信を具現する無線ＨＤＭＩ送信ステーション（ＴＸ）１０のシステム図面を示している。送信器１０は、ＨＤＭＩソース１１（すなわち、デジタルメディア生成装置）と送信器通信モジュール１２とを備える。
【００１８】
ＨＤＭＩソース１１は、デジタルオーディオ、非圧縮のビデオ及び他の補助のデータ（例えば、パケットヘッダ）をＨＤＭＩフォーマットで送信器通信モジュール１２に提供するＨＤＭＩ送信器１３を備える。フォーマットは、移行最小回差等シグナリング(Transition  Minimized  Differential  Signaling:  TMDS)信号を含んでいる。
【００１９】
通信モジュール１２は、ＴＭＤＳ信号をデコーディングし、垂直と水平の地域を除去するデコーダ／パーザ１４を備える。通信モジュール１２は、オーディオ、非圧縮のビデオ及び他の補助のデータを、無線送信モジュール（すなわち、６０ＧＨｚ無線送信モジュール）１６を通じて複数のアンテナでもって無線チャネルへ伝送するために、パケットに分けるオーディオ／ビデオ（Ａ／Ｖ）パケット化コントローラを備える。
【００２０】
一実施形態として、送信器通信モジュール１２は、モジュール１４，１５の機能を行うＡＶデータ処理及び通信ロジック１２Ａ、モジュール１６の機能を行う媒体アクセス(Media  Access:  MAC)階層１２Ｂ及び物理(Physical:  PHY)階層１２Ｃを備える。モジュール１２は、メモリ１２Ｄとハードウェアプロセッサ１２Ｅとをさらに備える。
【００２１】
本発明の一実施形態によって、図２は、ＨＤＭＩオーディオの無線通信を具現する無線ＨＤＭＩ受信ステーション２０のシステム図面を示している。受信器２０は、通信モジュール２１とＨＤＭＩシンク２２（すなわち、デジタルメディアプレーヤー・デバイス）とを備える。
【００２２】
受信器通信モジュール２１は、無線で受信器１０から複数のアンテナ（すなわち、６０ＧＨｚ以上の無線チャネル）を通じて伝送されるための無線受信モジュールを備える。受信器通信モジュール２１は、無線チャネルから受けたパケットからの情報をデパケット化するオーディオ／ビデオデパケット化コントローラ２４をさらに備える。
【００２３】
受信器通信モジュール２１は、デパケット化された情報をＴＭＤＳフォーマットにエンコーディングし、ＨＤＭＩフレームを再構成する（垂直及び水平の区域に挿入する）エンコーダモジュール２５をさらに備える。エンコーダモジュール２５は、その後、使用のためにＴＭＤＳ信号をＨＤＭＩシンク２２（すなわち、ＨＤＭＩシンク内のＨＤＭＩ受信器）に伝達する。
【００２４】
一実施形態として、受信器通信モジュール２１は、モジュール２４，２５の機能を行うオーディオ／ビデオ（ＡＶ）データ処理及び通信ロジック２１Ａ、無線受信モジュール２３の機能を行うＭＡＣ階層２１Ｂ及びＰＨＹ階層２１Ｃを備える。モジュール２１は、メモリ２１Ｄとハードウェアプロセッサ２１Ｅとをさらに備える。
【００２５】
本発明の一実施形態によって、図３は、送信器１０と受信器２０とのＨＤＭＩ通信で使用する７２０ｐデジタルビデオでのＨＤＭＩデータフレーム構造３０の例を示している。図３に示すように、垂直ブランキングでの４５本のラインと、アクティブビデオ情報を有する垂直ラインでの水平ブランキングのための１３８個の画素とがある。デジタルオーディオまたは他の補助のデータは、垂直及び水平のブランキング領域３２，３３内のデータアイランド区間３１内にそれぞれ積載される。
【００２６】
ＨＤＭＩソース１１（図１）でＨＤＭＩフレームが形成される時、オーディオ／ビデオ同期化要求程度は、ブランキング領域３２，３３（図３）内のオーディオパケットの配置を決定する。ＨＤＭＩフレーム構造３０は、同期式伝送のために設計された。しかし、無線伝送では、（６０ＧＨｚ無線通信のような）パケット基盤の非同期式の伝送のみが使われるため、本発明は、ＨＤＭＩソース１１からＨＤＭＩシンク２２へのオーディオとビデオとの無線伝送のために、ＨＤＭＩフレーム変換及びパケット化を利用して、オーディオとビデオとの同期化を確認する。
【００２７】
本発明の一実施形態によって、図４は、無線送信器１０（図１）の通信モジュール１２におけるＨＤＭＩフレーム変換及びパケット化のための例示手順４０を示している。該手順４０は、ＨＤＭＩソース１１から通信モジュール１２まで信号として達した３ＴＭＤＳチャネルでのＨＤＭＩフレーム３０の処理のための次の手順ブロックで構成される。
【００２８】
ブロック４１：３ＴＭＤＳチャネルでＨＤＭＩフレームを表現する信号を分析する。
【００２９】
ブロック４２：前記ＨＤＭＩフレームがデータアイランドを含むか。そうならば、ブロック４３に進み、ＨＤＭＩフレームにオーディオがなければ、ブロック４９に進む。
【００３０】
ブロック４３：ＨＤＭＩフレーム内の現在のデータアイランドの（Ｈ，Ｖ）位置情報を保存する。
【００３１】
ブロック４４：ＴＭＤＳチャネル０でのデータパケットヘッダを分析する。
【００３２】
ブロック４５：パケットがオーディオパケットであるか否かを確認して、そうならば、ブロック４６に進み、他の場合であれば、ブロック４８に進む。
【００３３】
ブロック４６：更なるオーディオパケットが併合されるか否かを確認して、そうならば、ブロック４１に進み、他の場合であれば、ブロック４７に進む。
【００３４】
ブロック４７：無線伝送のために受信されたオーディオパケットから併合されたオーディオパケット（図６及び７）を生成する。終了。
【００３５】
ブロック４８：無線伝送のために情報データパケットを生成する（情報データパケットは、一般的にコントロールメッセージを積載する）。終了。
【００３６】
送信器１０は、ＨＤＭＩソース１１から、各データアイランドの開始位置を保存し、ＴＭＤＳチャネル０でのデータパケットヘッダを分析する。もし、データパケットがオーディオパケットであれば、送信器１０は、オーディオ／ビデオジッタの要求程度と、併合されたオーディオパケットの予測されるサイズとによって、入るオーディオパケットをさらに待つか否かを決定する。もし、データパケットがインフォフレームパケットであれば、一般的に、送信器１０は、インフォフレームパケットを併合しない。
【００３７】
一実施形態として、ＨＤＭＩフレーム変換は、デコーダ／パーザ１４で行われ、パケット化は、送信器１０のパケット化コントローラ１５で行われる。一実施形態として、フレーム変換は、ＴＭＤＳ符号化データ信号をデコーディングするステップと、ＨＤＭＩフレームからＨとＶ地域を除去するステップと、を含む。一実施形態として、パケット化は、オーディオ、ビデオ及びデータの情報を分離するステップと、それらをパケットに位置させるステップと、を含む。
【００３８】
図５は、本発明の一実施形態として、ＨＤＭＩ無線受信器２０（図２）の通信モジュール２１におけるデパケット化及びフレーム再構成のための逆順手順５０を示している。該手順５０は、無線チャネルを通じて受信器１０から到着したパケットを処理するための次の手順ブロックで構成されている。
【００３９】
ブロック５１：到着したパケットが併合されたオーディオパケットであるか否かを確認して、そうならば、ブロック５２に進み、他の場合であれば、ブロック５５に進む。
【００４０】
ブロック５２：集合されたパケットヘッダと、集合されたパケットヘッダ内の各オーディオパケットヘッダとを分析してデパケット化する。
【００４１】
ブロック５３：各オーディオパケットについてのデータアイランドの（Ｈ，Ｖ）位置を獲得する。
【００４２】
ブロック５４：３ＴＭＤＳチャネルで（Ｈ，Ｖ）位置によって、チャネル０でのオーディオパケットヘッダ及びＶ／Ｈブランキング、並びにチャネル１，２でのオーディオデータによるＨＤＭＩ信号を生成する。終了。
【００４３】
ブロック５５：各インフォフレームパケットについてのデータアイランドの（Ｈ，Ｖ）位置を獲得する。ブロック５４に進む。
【００４４】
この例において、デパケット化は、デパケット化モジュール２４（図２）により行われ、ＨＤＭＩフレーム再構成は、受信器２０のＴＭＤＳエンコーダ／送信器モジュール２５により行われる。一実施形態として、デパケット化は、前述したパケット化と逆の方式でパケットから情報を抽出することを含む。
【００４５】
本発明の一実施形態によって、送信器１０で併合されたオーディオパケットを生成するために、図１において、ＨＤＭＩフレーム内のオーディオパケットの位置情報を生成するステップは、ＨＤＭＩフレーム内の各オーディオパケットの正確な位置を積載するステップを含む。本発明の図１によって、図６の集合されたオーディオパケットフォーマット６０の例を見れば、垂直及び水平の位置情報（Ｖ／Ｈ位置フィールド）は、各オーディオパケットに挿入され、複数のオーディオパケットは、パケット化の間に送信器１０のパケット化コントローラ１５により共に併合される。
【００４６】
受信器２０は、その後、再構成されたＨＤＭＩフレームのブランキング領域内の指定された水平及び垂直位置に各オーディオパケットを位置させることで、送信器１０と同じＨＤＭＩフレームを再構成する。併合されたパケット６０内のＶ／Ｈ位置フィールドは、ｎオクテット（すなわち、１２ビットが各水平及び垂直位置を表現するのに使われる。）のようなオーディオパケットの水平及び垂直の位置情報を含む。パケット６０内のｎ値は、３，４のような整数である。併合されたパケット６０内のオーディオパケット長さフィールドは、オクテット内のオーディオパケットの長さを表す。
【００４７】
本発明の一実施形態によって、図２において、ＨＤＭＩフレーム内のオーディオパケットの位置情報を生成するステップは、あらゆるオーディオパケットのための位置推定情報を、併合されたオーディオパケットに積載するステップを含む。本発明の図２によって、図７の集合されたオーディオパケットフォーマット７０の例を見れば、Ｖ／Ｈ位置とライン距離とを表現する４オクテットが各オーディオパケットのヘッダに導入されている。
【００４８】
ヘッダのオーバーヘッドを減らすために、オーディオパケット分布パターンが推定される。例えば、垂直ライン１０，１２，１３，１６，１８でのオーディオパケットが併合されることが必要な場合、これは、二つの隣接したパケット間が２というライン距離と推定され、図７では、最初のオーディオパケットフィールドのＶ／Ｈ位置が１０に設定され、二つの隣接したオーディオパケットフィールドのライン距離が２に設定されている。複数のオーディオパケットは、併合されたパケット７０内で共に併合され、そのオーディオパケット分布パターン情報（例えば、二つの隣接したオーディオパケットのライン距離）は、パケット化コントローラ１５により、送信器１０でパケット化の間に併合されたオーディオパケット７０に挿入される。
【００４９】
受信器２０は、各オーディオパケットをオーディオパケット分布パターンから計算された予測される垂直ラインに位置させることで、送信器１０でのＨＤＭＩフレームと同様にＨＤＭＩフレームを再構成する。オーディオとビデオとのジッタは、オーディオパケット分布パターンから推定されるＱｏＳ要求程度を充足させるように制限される。集合されたパケット７０内の二つの隣接したオーディオパケットフィールドのライン距離は、二つのオーディオパケット間の平均ラインの数を表す。例えば、受信器側は、オーディオパケットの垂直ラインを１０，１２，１４，１６，１８で再構成し、これは、送信器側と同一である必要はなく、（ライン１４が変更されたように）本来の垂直ライン１０，１２，１３，１６，１８と若干の差があるように再構成する。
【００５０】
本発明の他の実施形態によるオーディオ／ビデオ同期化は、受信器１０でのパケット化の間に、図８に併合されたパケット８０の例で示すように、オーディオ及びビデオ情報を併合する垂直ライン基盤の接近を含む。併合されたパケット８０内の最初の垂直ラインがアクティブデータを積載しているならば、併合されたパケット８０内のライン類型フィールドは“１”に設定され、最初の垂直ラインが垂直のブランキングラインであれば、“０”に設定される。Ｖ位置フィールドは、併合されたパケット内の最初の垂直ラインの垂直ライン係数を表す。ラインフィールドの数字は、現在のパケット８０内の垂直ラインの数字を表す。
【００５１】
併合されたパケット８０内の最初の垂直ラインがアクティブデータを有している場合、ラインタイプフィールドは、“１”に設定され、最初の垂直ラインが垂直のブランキングラインである場合、“０”に設定される。インフォフレーム存在フィールドは、インフォフレームデータが現在のパケット８０に積載されているか否かを表す。オーディオデータ存在フィールドは、オーディオデータが現在のパケット８０に積載されているか否かを表す。ビデオデータ存在フィールドは、ビデオデータが現在のパケット８０に積載されているか否かを表す。
【００５２】
本発明は、オーディオ／ビデオ同期化の実行を達成する間に、ブランキング情報の伝送を防止することで、データレートの低下を提供する。受信器は、オーディオ／ビデオ同期化が達成される間に、オーディオパケットを垂直及び水平のブランキング区間に挿入することで、ＨＤＭＩフレームを再構成する。たとえ、オーディオとビデオとが異なるクロックを使用するとしても、本発明は、送信器と受信器との両側での変換を防止するために、直接位置情報を使用する。
【００５３】
本発明によれば、かかる技術が技術分野で知られたように、前述した例示構造は、プロセッサによる実行のためのプログラム命令語、ソフトウェアモジュール、マイクロコード、コンピュータで読み取り可能な媒体であるコンピュータプログラム商品、論理回路、アプリケーション特定集積回路、ファームウェア、消費者電子装置、無線送信器、無線受信器など多くの方法で具現される。さらに、本発明の一実施形態は、全体的にハードウェアの実施形態や全体的にソフトウェアの実施形態、または全体的にハードウェアとソフトウェア要素とをいずれも含んでいる実施形態を有する。
【図１】
0005628925.tif 000002
【図２】
0005628925.tif 000003
【図３】
0005628925.tif 000004
【図４】
0005628925.tif 000005
【図５】
0005628925.tif 000006
【図６】
0005628925.tif 000007
【図７】
0005628925.tif 000008
【図８】
0005628925.tif 000009